(57)【要約】【課題】簡単な操作で複数の記憶媒体から画像データ取得して出力処理を行える画像処理装置を構成する。【解決手段】複数の記憶媒体Ｍから画像データを取得する際には、画像データ取得手段７５が、記憶媒体Ｍの数量の入力が可能なソース画面をモニタ２２に表示する。画像データ取得手段７５は、入力した記憶媒体Ｍの数量に達するまで複数の記憶媒体Ｍから画像データを取得し、このように取得した複数の画像データをオーダ管理手段７４が１つのオーダとして管理する。【選択図】図３
2007171847.tif 000002
【特許請求の範囲】
【請求項１】
記憶媒体に記憶された画像データをデータ取得部で取得し、この画像データをプリント媒体にプリントする、又は、保存用の記憶媒体に保存する出力処理部を備えている画像処理装置であって、
前記データ取得部は、前記記憶媒体から画像データを取得する媒体ドライブと、人為的に情報の入力が可能な入力端末とを備えると共に、前記記憶媒体から画像データを取得する際には、画像データを取得すべき前記記憶媒体の数量を前記入力端末から入力した後に、前記媒体ドライブに対して前記入力した数量の記憶媒体をセットすることにより、前記媒体ドライブを介して複数の記憶媒体から画像データを取得する画像データ取得手段と、取得した画像データを１つのオーダとして管理するオーダ管理手段とを備えている画像処理装置。
【請求項２】
前記記憶媒体から画像データを取得する処理に先立って、前記媒体ドライブにセットする記憶媒体の数量を入力するための入力画面をモニタに表示し、この入力画面に対して前記入力端末で入力された数値を表示し、その数値を取得する請求項１記載の画像処理装置。
【請求項３】
複数種の前記記憶媒体に対応した数の前記媒体ドライブを備え、前記媒体ドライブにセットされた前記記憶媒体の総数が、前記入力端末で入力された数量に達すると、画像データの取得の完了を確認する情報を出力する請求項１又は２記載の画像処理装置。
【請求項４】
前記出力処理部での処理を制御するためのパラメータを含む複数の制御チャンネルとして、予め設定された数量の前記記憶媒体から画像データを取得する処理を行うものが保存され、前記入力端末から数量を入力した場合には、この数量の記憶媒体から画像データを取得する制御チャンネルを選択するチャンネル選択手段を備えている請求項１〜３のいずれか１項に記載の画像処理装置。
【発明の詳細な説明】
【技術分野】
【０００１】
本発明は、記憶媒体に記憶された画像データをデータ取得部で取得し、この画像データをプリント媒体にプリントする、又は、保存用の記憶媒体に保存する出力処理部を備えている画像処理装置に関し、詳しくは、複数の記憶媒体から画像データを取得して処理する技術に関する。
【背景技術】
【０００２】
上記のように構成された画像処理装置と関連するものとして特許文献１に記載されるものが存在する。つまり、受付装置で受け付けた画像データのプリント処理を行うように写真プリント装置が構成されている。受付装置にはメディアドライブと、タッチパネルを有するディスプレイ（モニタ）とを備えており、顧客がメディアドライブに複数の記憶媒体をセットし、ディスプレイに表示された情報に従って操作を行うことにより、この複数の記憶媒体から取得した画像データの処理を行えるように処理形態が設定されている。
【０００３】
具体的に説明すると、プリントを注文するために記憶媒体を受付装置のメディアドライブにセットした場合には、記憶媒体の画像データが取得された後に、取得された画像データがサムネイル形式でディスプレイに表示され、このディスプレイにおいて、画像データ毎（コマ毎）にプリントサイズやプリント枚数を設定し、この設定が完了した時点で、注文の続行の有無を確認する画面がディスプレイに表示される。この画面において注文の続行を選択し、記憶媒体をメディアドライブにセットすることで、記憶媒体の画像データが更に取得された後に、取得された画像データがサムネイル形式でディスプレイに表示され、前述と同様に注文を行えるのである。
【０００４】
【特許文献１】特開２００３‐１２１９４６号公報
【発明の開示】
【発明が解決しようとする課題】
【０００５】
特許文献１に記載されるように、複数の記憶媒体から取得した画像データを一括して処理するものでは、１つの記憶媒体をセットする毎に受付処理が完了するものと比較して処理が簡潔化するものである。特に、複数の記憶媒体夫々を独立して受け付けてプリント処理を行うものでは、１つの記憶媒体を１つのオーダとして処理するため、プリント処理によって仕上がった印画紙を記憶媒体毎に異なるＤＰ袋等に収容しなければならない。
【０００６】
このように受け付けた記憶媒体の数だけオーダを生成するものでは、顧客に受け渡すべきＤＰ袋の受け渡し忘れが発生することや、料金計算に誤りを発生する等の不都合に繋がりやすいものである。そこで、特許文献１のように、複数の記憶媒体から取得した画像データを一括して処理を行うように処理形態を設定することにより、このような不都合を回避できる。
【０００７】
しかしながら、特許文献１に記載されるように複数の記憶媒体から画像データを取得する際に、１つの記憶媒体の画像データをディスプレイに表示してプリントサイズやプリント枚数の設定を行った後に、注文の続行の有無を確認する画面がディスプレイに表示され、この画面の表示に従って注文を続行する処理を選択するものでは、記憶媒体をセットする際には必ず所定の操作を行わなければならず、手間が掛かるものであった。
【０００８】
本発明の目的は、簡単な操作で複数の記憶媒体から画像データ取得して処理を行える画像処理装置を合理的に構成する点にある。
【課題を解決するための手段】
【０００９】
本発明の特徴は、記憶媒体に記憶された画像データをデータ取得部で取得し、この画像データをプリント媒体にプリントする、又は、保存用の記憶媒体に保存する出力処理部を備えている画像処理装置において、
前記データ取得部は、前記記憶媒体から画像データを取得する媒体ドライブと、人為的に情報の入力が可能な入力端末とを備えると共に、前記記憶媒体から画像データを取得する際には、画像データを取得すべき前記記憶媒体の数量を前記入力端末から入力した後に、前記媒体ドライブに対して前記入力した数量の記憶媒体をセットすることにより、前記媒体ドライブを介して複数の記憶媒体から画像データを取得する画像データ取得手段と、取得した画像データを１つのオーダとして管理するオーダ管理手段とを備えている点にある。
【００１０】
この構成により、画像データを取得すべき記憶媒体の数量を、入力端末を介して予め設定しておき、その数量の記憶媒体を媒体ドライブにセットすることにより、画像データ取得手段が媒体ドライブを介して夫々の記憶媒体から連続的に画像データを取得するものとなり、特許文献１のように、取得に先立って人為的な操作を行う必要がない。また、取得した画像データはオーダ管理手段が１つのオーダとして管理する。その結果、簡単な操作で複数の記憶媒体から画像データ取得して１つのオーダとして処理を行える画像処理装置が合理的に構成された。
【００１１】
本発明は、前記記憶媒体から画像データを取得する処理に先立って、前記媒体ドライブにセットする記憶媒体の数量を入力するための入力画面をモニタに表示し、この入力画面に対して前記入力端末で入力された数値を表示し、その数値を取得しても良い。
【００１２】
この構成により、記憶媒体から画像データを取得する際には、モニタに表示された入力画面の表示に従って入力端末から記憶媒体の数量を入力することにより、その数の記憶媒体から画像データを取得できる。
【００１３】
本発明は、複数種の前記記憶媒体に対応した数の前記媒体ドライブを備え、前記媒体ドライブにセットされた前記記憶媒体の総数が、前記入力端末で入力された数量に達すると、画像データの取得の完了を確認する情報を出力しても良い。
【００１４】
この構成により、例えば、コンパクトフラッシュ（商標）、ＳＤメモリカード（商標）、メモリースティック(商標)等の複数種の記憶媒体から画像データを取得する際にも、記憶媒体の種類毎に数値を入力しなくとも、記憶媒体の総数を入力端末から入力することで済み、また、入力した数量の記憶媒体から画像データを取得した後には確認の情報が出力されるので、幾つかの記憶媒体から画像データを取得し忘れる等の誤操作も発生し難い。
【００１５】
本発明は、前記出力処理部での処理を制御するためのパラメータを含む複数の制御チャンネルとして、予め設定された数量の前記記憶媒体から画像データを取得する処理を行うものが保存され、前記入力端末から数量を入力した場合には、この数量の記憶媒体から画像データを取得する制御チャンネルを選択するチャンネル選択手段を備えても良い。
【００１６】
この構成により、入力端末から数量を入力した場合には、チャンネル選択手段が数量に対応した制御チャンネルを選択するものとなり、このように選択された制御チャンネルは入力された数量に対応する数の記憶媒体から画像データを取得し、取得した画像データを出力処理部に出力できる。
【発明を実施するための最良の形態】
【００１７】
以下、本発明の実施形態を図面に基づいて説明する。
〔写真プリント装置〕
図１及び図２に示すように、暗箱構造の筐体１０の外部にオペレート部Ａ（データ取得部の一例）を形成すると共に、筐体１０の内部に印画紙Ｐ（プリント媒体の一例）に画像データの露光を行う露光処理部Ｅｘと、この露光処理部Ｅｘからの印画紙Ｐを反転することで表裏を入れ換えて上方に搬送する縦搬送部ＣＶと、この縦搬送部ＣＶからの印画紙Ｐの現像処理を行う現像処理部Ｄｅと、この現像処理部Ｄｅからの印画紙Ｐの乾燥を行う乾燥処理部Ｄｒとを形成し、この乾燥処理部Ｄｒで乾燥された印画紙Ｐを筐体１０の端部の排出部１１から排出し、搬送ベルト１２で受け止めて水平方向に搬送し、複数のトレイ１３Ａの何れかにオーダ単位で回収するソータ１３を備えることにより、画像処理装置として機能する写真プリント装置が構成されている。
【００１８】
この写真プリント装置では、露光処理部Ｅｘと、縦搬送部ＣＶと、現像処理部Ｄｅと、乾燥処理部Ｄｒとがプリント処理を実現する出力処理部として機能し、また、後述するようにオペレート部Ａに備えた媒体ドライブ２６がＣＤ−ＲやＤＶＤ−Ｒ等の記憶媒体Ｍに画像データを保存する出力処理部として機能する。
【００１９】
〔オペレート部〕
前記オペレート部Ａは、オペレータが画像データの取得と、プリント処理に必要な設定情報とを取得する機能を有するものであり、このオペレート部Ａには、テーブル部２０に設置された汎用コンピュータで成るプリント制御ユニット２１と、このプリント制御ユニット２１の上面に設置されたモニタ２２と、現像処理後の写真フィルムＦのコマ画像から画像データを取得するフィルムスキャナ２３とを備えると共に、入力端末として機能を有する２つのキーボード２４とマウス２５とを備えている。
【００２０】
前記プリント制御ユニット２１の前面にはコンパクトフラッシュ（商標）やＳＤカード（商標）、メモリースティック（商標）等各種の半導体型の記憶媒体Ｍｓと、ＣＤ−ＲＯＭ、ＤＶＤ、ＭＯ等の磁気式や光学式のディスク型の記憶媒体Ｍｄとの間で情報のアクセスを行う複数の媒体ドライブ２６を備えている。尚、半導体型の記憶媒体Ｍｓとディスク型の記憶媒体Ｍｄとを併せて記憶媒体Ｍと総称する。
【００２１】
前記フィルムスキャナ２３は、下部に配置した光源２３Ａからの光線をフィルムキャリア２３Ｂに支持された写真フィルムＦに照射し、この写真フィルムＦからの光線をレンズユニット２３Ｃから上部の光電変換ユニット２３Ｄに導き、この光電変換ユニット２３Ｄにおいて写真フィルムＦのコマ画像の光電変換とＡ／Ｄ変換とを行うことによりＲ（赤）・Ｇ（緑）・Ｂ（青）の３原色に色分解したデジタル型の画像データとして取得する。
【００２２】
〔縦搬送部・現像処理部・乾燥処理部〕
図面には具体的な構造を示していないが、前記縦搬送部ＣＶは、前記露光処理部Ｅｘで露光された印画紙Ｐを圧着型のローラ１５で受け取り、圧着型のローラの姿勢の変換によって表裏を入れ換え、ガイドレール１６に沿って上方に搬送し、前記現像処理部Ｄｅに送り出すように機能する。
【００２３】
前記現像処理部Ｄｅは、発色現像槽と漂白定着槽と安定槽とで成る複数の処理槽を樹脂によって一体形成した現像処理槽３０を備えると共に、前記露光処理部Ｅｘから供給された印画紙Ｐを夫々の現像処理槽に搬送するように複数の圧着型のローラを有した搬送機構３１を備えている。前記乾燥処理部Ｄｒは、現像処理部Ｄｅから送り出された印画紙Ｐを搬送する複数の圧着ローラ３２と、この圧着ローラ３２で搬送される印画紙Ｐに対して乾燥空気を供給するブロワ３３とを備えている。
【００２４】
〔露光処理部〕
前記露光処理部Ｅｘは、２つ印画紙マガジン１にロール状に収容された長尺の印画紙Ｐ（プリント媒体の一例）の何れか一方を圧着型の供給搬送ローラ４１で上方に引き上げた後に水平方向に送り出し、カッターユニット４２の排出ローラ４３からチャッカーＣに受け渡す。このチャッカーＣは印画紙Ｐを挟持する挟持状態と、印画紙Ｐを開放する開放状態とに切り換え自在なチャック部材（図示せず）を備えており、このチャック部材で印画紙Ｐを挟持した状態で水平方向へ移動し、印画紙Ｐの先端を露光ユニットＧに受け渡す。
【００２５】
前記露光ユニットＧは、露光搬送機構Ｇｃによって印画紙Ｐを水平方向（副走査方向）に搬送しながら、露光ヘッドＧｈによって主走査方向に沿ったライン露光を行うように露光形態が設定されている。また、前記露光搬送機構Ｇｃは、圧着状態と開放状態とに切り換え自在な第１ローラ４５と、第２ローラ４６と、第３ローラ４７とを、印画紙Ｐの搬送方向に沿って配置している。
【００２６】
前記露光ヘッドＧｈとして、Ｒ（赤）、Ｇ（緑）、Ｂ（青）の３原色に対応した３種の真空ケースの内部に多数のドット状となる蛍光体をライン状に配置し、蛍光体を独立して発光させるように構成したものを用いているが、これに代えて、光源からの光線の照射を画素単位で制御する液晶型等のシャッターから印画紙Ｐの感光面に導くことでライン露光を行うものや、Ｒ（赤）、Ｇ（緑）、Ｂ（青）の３原色のレーザビームを走査する形態でライン露光を行うものであっても良い。
【００２７】
この露光処理部Ｅｘには、この露光処理部Ｅｘでの印画紙Ｐの切断と搬送の制御とを行い、前記現像処理部Ｄｅでの印画紙Ｐの現像処理液の管理とを行い、前記乾燥処理部Ｄｒでの印画紙Ｐの搬送と温度管理とを行うためのマイクロプロセッサを有したプリント管理装置３６を備え、このプリント管理装置３６は以下のように印画紙Ｐを搬送して露光を行う。
【００２８】
〔露光処理形態〕
印画紙Ｐに対する露光処理を開始する際には、前記チャッカーＣをカッターユニット４２の近傍の待機位置にセットし、この状態において何れか一方の印画紙マガジン１からの印画紙Ｐを供給搬送ローラ４１で水平方向に送り出し、カッターユニット４２の部位を通過させ、前記待機位置に設定されているチャッカーＣに受け渡す。
【００２９】
印画紙Ｐが受け渡されたチャッカーＣにおいて印画紙Ｐの先端近くを挟持し、水平方向への搬送を開始する。この水平方向への搬送時にはチャッカーＣの移動速度と同期した速度で前記供給搬送ローラ４１と排出ローラ４３とを駆動する。そして、カッターユニット４２の切断位置を基準にして搬送された印画紙Ｐの長さがプリントサイズに達すると、印画紙Ｐの搬送を一時停止してカッターユニット４２によって印画紙Ｐを切断し、この切断の後に、チャッカーＣを水平方向に更に移動させ、印画紙Ｐを露光搬送機構Ｇｃに受け渡す。
【００３０】
この露光搬送機構Ｇｃでは、第１ローラ４５を開放状態に設定して前記チャッカーＣからの印画紙Ｐを受け入れ、この受け入れの直後に圧着状態に切り換えることで印画紙Ｐの搬送を開始する。この搬送を開始した後には、第２ローラ４６を開放状態に設定して印画紙Ｐを受け入れ、この受け入れの直後に圧着状態に切り換えて印画紙Ｐの露光搬送を開始し、これと連係して前記第１ローラ４５を開放状態に設定する。次に、第３ローラ４７を開放状態に設定して印画紙Ｐを受け入れ、この受け入れの直後に第３ローラ４７を圧着状態に切り換え、これと連係して第２ローラ４６を開放状態に切り換えることで印画紙Ｐの露光搬送を継続する。
【００３１】
〔制御構造〕
図３に示すように写真プリント装置の制御系が構成されている。つまり、プリント制御ユニット２１は、マイクロプロセッサＣＰＵと、このマイクロプロセッサＣＰＵのデータバスに接続する入出力インタフェース（Ｉ／Ｏ）７０とを備え、この入出力インタフェース（Ｉ／Ｏ）７０に対して、前記モニタ２２と、フィルムスキャナ２３と、キーボード２４と、マウス２５と、複数の媒体ドライブ２６と、ハードディスクＨＤとの間で情報がアクセスする信号系を形成し、また、入出力インタフェース７０と前記プリント管理装置３６との間で信号をアクセスする通信系を形成している。
【００３２】
前記マイクロプロセッサＣＰＵのデータバスに対して、ＲＡＭやＲＯＭで成る半導体メモリ７１と、ＧＵＩ制御手段７２と、プリントチャンネル選択手段７３（チャンネル選択手段の一例）と、オーダ管理手段７４と、画像データ取得手段７５と、出力処理手段７６とが接続している。
【００３３】
前記ＧＵＩ制御手段７２は、前記モニタ２２に表示された画面においてマウス２５の操作に対応したカーソルを表示し、このマウス２５の操作やキーボード２４の操作に基づいて情報を取得する処理を実現する。
【００３４】
プリントチャンネル選択手段７３は、図４に示すソース画面５０（入力画面の一例）で取得した情報と、図７のフローチャートの処理の詳細の設定（＃１０２ステップ）での処理で取得した情報とに基づいて前記ハードディスクＨＤに保存されている複数のプリントチャンネル（制御チャンネルの一例）から対応するプリントチャンネルを取得する。前記オーダ管理手段７４は取得した画像データを１つのオーダとして管理する。
【００３５】
前記画像データ取得手段７５は、前記ソース画面５０で設定されたソース（フィルムスキャナ２３、媒体ドライブ２６等）から画像データを取得する処理を実行する。前記出力処理手段７６は、画像データとオーダデータとを前記プリント管理装置３６に伝送してプリント処理を実現する、又は、画像データを前記媒体ドライブ２６に伝送してＣＤ−Ｒ等の記憶媒体Ｍに画像データを保存する処理を実現する。
【００３６】
このＧＵＩ制御手段７２と、プリントチャンネル選択手段７３と、オーダ管理手段７４と、画像データ取得手段７５と、出力処理手段７６とはソフトウエアで構成されるものであるが、これらをハードウエアで構成することや、ハードウエアとの組み合わせで構成しても良い。
【００３７】
また、前記プリント管理装置３６は、前記露光処理部Ｅｘの供給搬送ローラ４１から乾燥処理部Ｄｒの圧着ローラ３２に亘る搬送系全般を管理する搬送制御部８１と、前記露光ヘッドＧｈを制御して印画紙Ｐに対する画像データの露光を管理する露光制御部８２と、前記現像処理槽３０の現像処理液の温度管理や液面管理を行い、乾燥処理部Ｄｒの温度管理を行う現像・乾燥制御部８３とを制御するものであり、このプリント管理装置３６は２つの前記印画紙マガジン１に備えたＩＤプレート（図示せず）の情報を取得するマガジンセンサＭＳからの信号が入力するように構成されている。
【００３８】
〔プリント処理〕
この写真プリント装置において、記憶媒体Ｍから画像データを取得して印画紙Ｐにプリント処理を行う際の処理形態の概要を図７のフローチャートのように示すことが可能である。このフローチャートでは、出力処理の一例として、ソースとして複数のメディア（記憶媒体Ｍ）が選択され、出力形態としてプリント処理が選択されたものの処理形態を示している。
【００３９】
つまり、この写真プリント装置では、画像データを印画紙Ｐにプリントするプリント処理や、画像データをＣＤ−Ｒ等の記憶媒体に書き込む処理としての出力処理に先立って図４に示すソース画面５０が表示される。
【００４０】
このソース画面５０では、画像データのソースとして「メディア」（記憶媒体Ｍ）と、「フィルムスキャナ」との何れかにオペレータがチェックを付す必要があり、「メディア」にチェックを付した場合には、メディア数設定部５１においてメディア（記憶媒体Ｍ）の数量をセットする操作が求められる。また、「フィルムスキャナ」にチェックした場合には、フィルムサイズ選択部５２においてフィルムサイズを選択する操作が求められる。この選択を終了してＯＫボタン５３を操作することにより、選択が終了する（＃１０１ステップ）。
【００４１】
前記メディア数設定部５１にはデフォルト値として「１」がセットされているが、複数の記憶媒体Ｍから画像データを取得する場合に設定する数量は、記憶媒体Ｍの種類に拘わらずメディアの総数と一致する。制御形態は説明しないが「フィルムスキャナ」にチェックを付した場合には、フィルムサイズ選択部５２で選択されたフィルムサイズに対応したフィルムキャリア２３Ｂをフィルムスキャナ２３に装着した状態において写真フィルムＦのスキャニングが行われる。
【００４２】
前述のように選択が終了した後に、オーダ画面（図示せず）がモニタ２２に表示され、このオーダ画面において、オペレータがプリントサイズを設定し、インデックスプリントの有無を設定し、自動補正等を設定する（＃１０２ステップ）。この設定によってオーダ情報が確定し、このオーダ情報に基づいてプリントチャンネル選択手段７３が対応するプリントチャンネル（制御チャンネルの一例）を選択する（＃１０３ステップ）。
【００４３】
この＃１０１〜＃１０３ステップは、前記プリントチャンネル選択手段７３からの情報に基づいて前記ＧＵＩ制御手段７２が必要な画面や情報をモニタ２２に表示し、オペレータの操作に基づいた情報を取得すると共に、取得した情報に基づいて、前述したように前記プリントチャンネル選択手段７３がプリントチャンネルを選択する。
【００４４】
前記プリントチャンネルは、ソース、出力形態等の詳細がパラメータの形でセットされ、ソースとしてメディアが選択されている場合には、画像データ取得手段７５がプリントチャンネルのパラメータに基づいて媒体ドライブ２６にセットされた記憶媒体Ｍから画像データの取得を開始する。また、前記ソース画面５０においメディアの数量として２以上（複数）が設定され、媒体ドライブ２６に記憶媒体Ｍがセットされていない場合には、画像データ取得手段７５が図５に示す残量画面５５をモニタ２２に表示して記憶媒体Ｍのセットを促す（＃１０４ステップ）。
【００４５】
この残量画面５５には、残量表示部５６にセットされていない記憶媒体Ｍの数量を表示する。また、ソース画面５０のメディア数設定部５１において誤って大きい数量を入力した場合や、全ての記憶媒体Ｍをセットする以前に処理を切り上げたい場合には、取得を中止して次の処理に移行するためのボタン５７を操作することになる。
【００４６】
更に、残量画面５５が表示された後に、記憶媒体Ｍがセットされた場合には、記憶媒体Ｍの種類に拘わらず、前記画像データ取得手段７５が、その記憶媒体Ｍから画像データを取得する処理を開始する。
【００４７】
複数の記億媒体Ｍから画像データを取得する際には、記憶媒体Ｍの数量を予め設定することにより、記憶媒体Ｍの種類に拘わらず連続的に画像データを取得できるものであり、前記画像データ取得手段７５による取得形態の代表例を以下の（Ａ）、（Ｂ）において示す。
【００４８】
（Ａ）例えば、コンパクトフラッシュ（商標）と、ＳＤカード（商標）と、メモリースティック（商標）とで記憶媒体Ｍの数量が合計３である場合（異なる記憶媒体Ｍを１つずつ使用する場合）に、夫々の記憶媒体Ｍを対応する媒体ドライブ２６に同時にセットしておくことにより、予め設定された順序で夫々の記憶媒体Ｍから画像データを自動的に取得する。
【００４９】
（Ｂ）少なくとも１種の記憶媒体Ｍが複数である場合、対応する媒体ドライブ２６に対して記憶媒体をセットし、前記残量画面５５が表示される毎に次の記憶媒体Ｍをセットすることにより、自動的に画像データを取得する。
【００５０】
図面には示していないが、同じ記憶媒体Ｍが複数回セットされる不都合を回避するために、記憶媒体Ｍから画像データを取得する際には、複数の画像データのヘッダーにおいてＥｘｉｆ（Exchangeable Image File Format）の規格で保存されている撮影日時（タイムスタンプ）、データ量等のタグ情報を、記憶媒体Ｍに関連付けて保存しておき、既に保存されている撮影日時、データ量が保存されている画像データの記憶媒体Ｍが再びセットされた場合には、「既に画像データを取得しています」等のメッセージ（図示せず）を表示するように前記画像データ取得手段７５の処理形態が設定されている。
【００５１】
この処理により設定された数量の記憶媒体Ｍから画像データの取得を終了した場合には、前記画像データ取得手段７５が図６に示す確認画面６０をモニタ２２に表示する。この確認画面６０がモニタ２２に表示されている状況において画像データの取得が完了している場合には、オペレータがＯＫボタン６１を操作し、画像データを取得する記憶媒体Ｍを追加したい場合には、オペレータが追加ボタン６２を操作し、記憶媒体Ｍを媒体ドライブ２６に新たにセットすることにより、セットした記憶媒体Ｍから画像データが取得される（＃１０５〜＃１０８ステップ）。
【００５２】
このように記憶媒体Ｍから画像データを取得した後には、取得した複数の画像データを管理する１つのオーダを生成し、モニタ２２にプレジャッジ画面（図示せず）を表示し、このプレジャッジ画面に対して、記憶媒体Ｍから取得した画像データをサムネイル形式等の縮小サイズで一覧化して表示し、オペレータがプリント対象とするもの、プリント枚数等を設定し、必要な場合には補正を行う。このプレジャッジ画面での処理を終了し、プリントを実行することにより、プリントチャンネルで設定されたパラメータに従ってプリント処理が実行されるのである（＃１０９〜＃１１２ステップ）。
【００５３】
尚、プレジャッジ画面をモニタ２２に表示する処理は必ずしも行う必要はなく、例えば、同時プリントのように１つの画像データを１枚の印画紙Ｐにプリントする場合には、各画像データを自動補正してプリント処理を行うようにプリントチャンネルを設定しておいても良い。
【００５４】
このように本発明によると、複数の記億媒体Ｍから画像データを取得して出力処理を行う場合には、オペレータが記憶媒体Ｍの数量を予め設定し、画像データの処理形態等を設定することにより、自動的にプリントチャンネルが選択され、プリントチャンネルのパラメータに従って制御が行われ、モニタ２２に表示される残量画面５５が表示される。この表示に従ってオペレータが複数の記憶媒体Ｍを対応する媒体ドライブ２６にセットするだけで、記憶媒体Ｍの種類に拘わらず連続的に画像データを取得し、取得した複数の画像データを１つのオーダとして管理する状態に達する。このオーダで管理される複数の画像データをプリントチャンネルのパラメータに従って出力処理することにより、印画紙Ｐに対するプリントや、ＣＤ−ＲやＤＶＤ−Ｒ等の記憶媒体Ｍに画像データを保存等の処理が実現するのである。
【００５５】
特に、ソース画面５０のメディア数設定部５１において誤った数量を入力した場合にも、残量画面５５や確認画面６０において画像データを取得すべき記憶媒体Ｍの数量を変更することが可能であり、適正な数の記憶媒体Ｍから画像データを取得して処理を行えるようにしている。
【００５６】
〔別実施形態〕
本発明は、上記した実施の形態以外に以下のように構成しても良い。
【００５７】
（ａ）画像処理装置として、顧客が操作する受付端末を備えた構成のものに適用する。具体例を説明すると、受付端末にはタッチパネルを形成したモニタと、媒体ドライブとを備え、顧客が受付端末に複数の記憶媒体Ｍをセットしてプリント処理を注文する場合にも、モニタに対して必要な画面を表示して、セットする記憶媒体の数量を入力するだけで、その複数の記憶媒体から画像データを取得し、出力処理を実現する。
【００５８】
（ｂ）種類が異なる複数の記憶媒体から画像データを取得する場合、例えば、ＳＤカード（商標）の数量や、メモリースティック（商標）の数量をセットできるように処理形態を設定する。このように処理形態を設定することにより、例えば、残量画面５５に対して、記憶媒体Ｍの種類に対応した残量を表示することも可能となり、オペレータに対して具体的なメッセージを表示して誤りのない操作を実現する。
【００５９】
（ｃ）複数の記憶媒体から画像データを取得した場合には、取得した順序で画像データがプリントされる、又は、ＣＤ−Ｒ等の記憶媒体に保存されることになるが、１つの記憶媒体から取得した複数の画像データを１つのグループとして管理し、オーダの中において、グループの順序を変更するように処理形態を設定する。このように処理形態を設定することにより、処理の順序を変更できるようにしても良い。
【図面の簡単な説明】
【００６０】
【図１】写真プリント装置の斜視図
【図２】写真プリント装置の縦断正面図
【図３】制御系のブロック回路図
【図４】ソース画面を示す図
【図５】残量画面を示す図
【図６】確認画面を示す図
【図７】出力処理のフローチャート
【符号の説明】
【００６１】
２２          モニタ
２４          入力端末（キーボード）
２５          入力端末（マウス）
２６          媒体ドライブ
５０          入力画面（ソース画面）
７３          チャンネル選択手段（プリントチャンネル選択手段）
７４          オーダ管理手段
７５          画像データ取得手段
７６          出力処理手段
Ａ            データ取得部（オペレート部）
Ｍ            記憶媒体
Ｐ            プリント媒体（印画紙）
【図１】
2007171847.tif 000003
【図２】
2007171847.tif 000004
【図３】
2007171847.tif 000005
【図４】
2007171847.tif 000006
【図５】
2007171847.tif 000007
【図６】
2007171847.tif 000008
【図７】
2007171847.tif 000009